(57)【特許請求の範囲】
【請求項１】
建物の天井に設置され、排気ダクトが接続される設備機器において、
本体部の上面に、配線の接続方向を異ならせて配置された複数の端子台と、
前記複数の端子台を覆うと共に、各端子台に合わせて開口部を有した端子台カバーと、
前記端子台カバーの前記開口部を開閉する複数の遮蔽部を有し、前記複数の端子台の中で、配線が接続される端子台に対応する前記開口部を開く動作で、他の端子台に対応する前記開口部を閉じる遮蔽部材とを備え、
前記複数の端子台は、前記本体部の上面で前記本体部の一の側面の側に位置する前記端子台、及び、他の側面の側に位置する前記端子台を備えて、前記本体部の対向する両側面方向から前記端子台に配線を接続できるように配置され、
前記遮蔽部材は、前記本体部の上面に対して垂直方向の軸部を支点とした回転動作で、配線が接続される前記端子台に対応する前記開口部を開くと共に、他の前記端子台に対応する前記開口部を閉じる
ことを特徴とする設備機器。
【請求項２】
前記遮蔽部材は、前記複数の遮蔽部として、前記本体部の一の側面の側に位置する前記端子台に対応した前記端子台カバーの前記開口部を開閉する前記遮蔽部を、一方の端部に備えると共に、前記本体部の他の側面の側に位置する前記端子台に対応した前記開口部を開閉する前記遮蔽部を、他方の端部に備える
ことを特徴とする請求項１記載の設備機器。
【請求項３】
前記端子台カバーの複数の前記開口部の中で、所定の前記開口部を閉じる前記遮蔽部を固定する締結部材を備え、
前記締結部材は、前記本体部が建物の天井に設置された状態で、取り外し及び締結が可能な位置に配置される
ことを特徴とする請求項１または２記載の設備機器。
【請求項４】
前記遮蔽部材は、前記締結部材で固定される前記遮蔽部に、前記締結部材が締結されると共に、前記締結部材が取り外されると、人手により把持される把持部を備えた
ことを特徴とする請求項３記載の設備機器。
【請求項５】
前記端子台は、前記本体部の側面及び上面に対して傾斜して配置された
ことを特徴とする請求項１記載の設備機器。
【発明の詳細な説明】
【技術分野】
【０００１】
本発明は、建物に設置され、外部より電気配線が接続される設備機器に関する。
【背景技術】
【０００２】
従来から、住宅等の建物に、空調装置や換気扇等の設備機器が配置される。例えば、浴室の天井には、浴室の暖房や換気等を行う浴室暖房換気乾燥装置が設置されている。
【０００３】
浴室暖房換気乾燥装置は、空気の吸込口や吹出口が形成されたフロントパネルは浴室の天井パネルに露出させ、ファン等が実装された本体部は、天井パネルに形成した開口部から天井裏に入り込ませる形態で、浴室の天井に設置される。
【０００４】
このような浴室暖房換気乾燥装置等の設備機器では、設備機器を操作するためのリモートコントロール装置からの電気配線や電源線等を接続する端子台が備えられている（例えば、特許文献１参照）。
【０００５】
例えば、浴室暖房換気乾燥装置では、端子台は筐体の上部に備えられ、端子台の取付方向は、予め決められた向きで固定されている。
【０００６】
【特許文献１】特開２００１−２５４９８２号公報
【発明の開示】
【発明が解決しようとする課題】
【０００７】
浴室暖房換気乾燥装置等の設備機器は、天井裏の高さが低い場所に設置される場合がある。一方、リモートコントロール装置からの電気配線や電源線等、設備機器に対する外部よりの電気配線の接続作業は、天井に備えられた点検口から行われる場合が多い。
【０００８】
しかし、従来の設備機器では、端子台は予め決められた向きで固定されているので、設備機器の設置方向によっては、電気配線の接続作業が行い難い向きに端子台が配置されてしまい、電気配線の接続作業が困難になって、施工性が著しく悪化するという問題があった。
【０００９】
また、端子台の向きを変えられるようにした設備機器も提案されているが、設備機器を設置する前に端子台の向きを変える必要があるという問題があった。
【００１０】
本発明は、このような課題を解決するためになされたもので、設置場所への設置後に、配線の接続作業に適した配置で端子台を使用可能な状態にし、かつ、誤配線を防ぐことができる設備機器を提供することを目的とする。
【課題を解決するための手段】
【００１１】
上述した課題を解決するため、本発明は、建物の天井に設置され、排気ダクトが接続される設備機器において、本体部の上面に、配線の接続方向を異ならせて配置された複数の端子台と、複数の端子台を覆うと共に、各端子台に合わせて開口部を有した端子台カバーと、端子台カバーの開口部を開閉する複数の遮蔽部を有し、複数の端子台の中で、配線が接続される端子台に対応する開口部を開く動作で、他の端子台に対応する開口部を閉じる遮蔽部材とを備え、複数の端子台は、本体部の上面で本体部の一の側面の側に位置する端子台、及び、他の側面の側に位置する端子台を備えて、本体部の対向する両側面方向から端子台に配線を接続できるように配置され、遮蔽部材は、本体部の上面に対して垂直方向の軸部を支点とした回転動作で、配線が接続される端子台に対応する開口部を開くと共に、他の端子台に対応する開口部を閉じることを特徴とする。
【００１２】
本発明の設備機器では、建物の天井に設置した後に、遮蔽部材を動かすと、複数の端子台の中で、配線が接続される端子台に対応する開口部を開く動作で、他の端子台に対応する開口部が閉じられる。
【００１３】
これにより、電気工事の作業者は、設備機器の設置の向き、及び建物の天井に形成される点検口の位置等に応じて、配線が接続される端子台に対応する開口部を開き、該当する端子台に対する配線作業が行えると共に、他の端子台は開口部が閉じられることで、誤配線が防止される。
【００１４】
また、設備機器を設置する施工業者は、配線が接続される端子台に対応する開口部を、設備機器の設置の前に開く作業が不要である。
【発明の効果】
【００１５】
本発明の設備機器によれば、建物に設置した後に、外部からの配線を接続する工程で、配線の接続作業に適した配置の端子台を使用可能な状態にすることができると共に、誤配線を防止することができ、施工性を向上させることができる。
【００１６】
また、設備機器を設置する作業者と、設備機器の電気工事を行う作業者の作業分担を、明確に区別することが可能になる。
【発明を実施するための最良の形態】
【００１７】
以下、図面を参照して本発明の設備機器の実施の形態について説明する。
【００１８】
＜浴室暖房換気乾燥装置の構成例＞
図１は、設備機器の実施の形態としての浴室暖房換気乾燥装置の一例を示す平面断面図、図２は、本実施の形態の浴室暖房換気乾燥装置の一例を示す斜視図、図３は、本実施の形態の浴室暖房換気乾燥装置の一例を示す分解斜視図である。また、図４及び図５は、本実施の形態の浴室暖房換気乾燥装置の設置例を示す平面図である。
【００１９】
本実施の形態の浴室暖房換気乾燥装置１は、図示しないファンとヒータ等を有した本体部１０を備える。浴室暖房換気乾燥装置１は、図４及び図５に示すように、浴室の天井１００に形成された開口部１０１から、本体部１０が天井裏に入れられ、空気の吸込口や吹出口が形成されたフロントパネル１１が、浴室の天井１００に露出される。
【００２０】
浴室暖房換気乾燥装置１は、本体部１０に取り付けられたダクトジョイント１２に、排気ダクト１０２が接続される。排気ダクト１０２は、浴室が設置される建物の構造等によって配管経路が決められる。また、浴室の天井１００には、浴室暖房換気乾燥装置１の設置作業や点検等で利用される点検口１０３が開口している。
【００２１】
このため、浴室暖房換気乾燥装置１は、建物や浴室の構成に応じて、図４に示すように、本体部１０の第１の側面１０ａを点検口１０３に向ける配置か、図５に示すように、本体部１０の第１の側面１０ａと反対の第２の側面１０ｂを点検口１０３に向ける配置を選択して、浴室の天井１００に設置される。
【００２２】
浴室暖房換気乾燥装置１は、外部からの配線２００がどちらか一方に接続される第１の端子台２ａ及び第２の端子台２ｂと、第１の端子台２ａと第２の端子台２ｂを覆う端子台カバー３と、配線２００が接続される第１の端子台２ａと第２の端子台２ｂの何れか一方を端子台カバー３から露出させると共に、他方を遮蔽する遮蔽部材４を備える。
【００２３】
浴室暖房換気乾燥装置１は、金属ケースで覆われた本体部１０の内部に、図示しないファンの駆動手段であるモータと、ファンで送風される空気の加熱手段であるヒータ等を備え、第１の端子台２ａ及び第２の端子台２ｂと、図示しないモータやヒータ等が、配線で接続される。
【００２４】
図６は、第１の端子台２ａ及び第２の端子台２ｂの構成を示す正面図、図７は、第１の端子台２ａ及び第２の端子台２ｂにおける配線２００の接続状態を示す側面図である。
【００２５】
第１の端子台２ａと第２の端子台２ｂは、配線２００の被覆が剥がされた部分が挿入されることで、配線２００が固定されて電気的な接続が行われる電線接続口２０を備える。
【００２６】
第１の端子台２ａは、本例では、３個の電線接続口２０が並べて配置され、３本の配線２００が接続される構成である。第２の端子台２ｂも同様に、３個の電線接続口２０が並べて配置され、３本の配線２００が接続される構成である。
【００２７】
第１の端子台２ａと第２の端子台２ｂは、それぞれ台座２１に支持されて、本体部１０の上面１０ｃに取り付けられる。
【００２８】
台座２１は、例えば、板材が所定の形状に折り曲げられて形成され、第１の端子台２ａまたは第２の端子台２ｂが取り付けられる取付部２１ａが、脚部２１ｂと脚部２１ｃで支持される構成である。
【００２９】
台座２１は、取付部２１ａが本体部１０の上面１０ｃに対して所定の角度で傾斜しており、第１の端子台２ａ及び第２の端子台２ｂは、３個の電線接続口２０が本体部１０の上面１０ｃに対して斜めに配置される。
【００３０】
また、第１の端子台２ａは、図１等に示すように、本体部１０の第１の側面１０ａの側に位置し、本体部１０の第１の側面１０ａに対して所定の方向に傾斜している。第２の端子台２ｂは、本体部１０の第２の側面１０ｂの側に位置し、本体部１０の第２の側面１０ｂに対して所定の方向に傾斜している。
【００３１】
これにより、浴室暖房換気乾燥装置１の本体部１０を第１の側面１０ａの側から見たとき、第１の端子台２ａの３個の電線接続口２０が見える。そして、第１の端子台２ａの３個の電線接続口２０に配線２００を挿入するときに、図７に示すように、各電線接続口２０に配線２００が挿入されたか否かを視認しやすくしている。
【００３２】
同様に、浴室暖房換気乾燥装置１の本体部１０を第２の側面１０ｂの側から見たとき、第２の端子台２ｂの３個の電線接続口２０が見える。そして、第２の端子台２ｂの３個の電線接続口２０に配線２００を挿入するときに、各電線接続口２０に配線２００が挿入されたか否かを視認しやすくしている。
【００３３】
図１等に戻り、端子台カバー３は、第１の端子台２ａ及び第２の端子台２ｂの側方と上方を覆う形状を有して金属の板材で構成され、本体部１０の上面１０ｃに取り付けられる。
【００３４】
端子台カバー３は、本体部１０の第１の側面１０ａの側に、第１の端子台２ａの電線接続口２０に対向する位置を開口して第１の開口部３０ａが形成される。端子台カバー３の第１の開口部３０ａは、第１の端子台２ａの傾斜に合わせて、本体部１０の第１の側面１０ａに対して所定の方向に傾斜している。
【００３５】
また、端子台カバー３は、本体部１０の第２の側面１０ｂの側に、第２の端子台２ｂの電線接続口２０に対向する位置を開口して第２の開口部３０ｂが形成される。端子台カバー３の第２の開口部３０ｂは、第２の端子台２ｂの傾斜に合わせて、本体部１０の第２の側面１０ｂに対して所定の方向に傾斜している。
【００３６】
遮蔽部材４は、Ｗ形状の一方の端部に、端子台カバー３の第１の開口部３０ａを開閉する第１の遮蔽部４０ａを備えると共に、Ｗ形状の他方の端部に、端子台カバー３の第２の開口部３０ｂを開閉する第２の遮蔽部４０ｂを備え、軸部４０ｃを支点として回転可能に端子台カバー３に取り付けられる。
【００３７】
遮蔽部材４は、軸部４０ｃを支点として、第１の遮蔽部４０ａが端子台カバー３の内部へ退避して第１の開口部３０ａを開く位置から、第１の開口部３０ａを閉じる位置まで回転する。また、遮蔽部材４は、第１の遮蔽部４０ａの開閉動作で、第２の遮蔽部４０ｂが第２の開口部３０ｂを閉じる位置から、端子台カバー３の内部へ退避して第２の開口部３０ｂを開く位置まで回転する。
【００３８】
遮蔽部材４は、軸部４０ｃを支点とした開閉動作を規制する固定部４０ｄと、開閉動作の際に人手により持たれる把持部４０ｅを備える。
【００３９】
遮蔽部材４は、第２の遮蔽部４０ｂで端子台カバー３の第２の開口部３０ｂを閉じると、固定部４０ｄが端子台カバー３に突き当てられる。そして、固定部４０ｄが締結部材であるネジ４０ｆで端子台カバー３に固定されると、遮蔽部材４は、第２の遮蔽部４０ｂで端子台カバー３の第２の開口部３０ｂを閉じた状態で、軸部４０ｃを支点とした開閉動作が規制される。
【００４０】
また、遮蔽部材４は、ネジ４０ｆを外すと、把持部４０ｅ等を持って動かされることで、軸部４０ｃを支点に回転する。第２の遮蔽部４０ｂを端子台カバー３の内部へ退避させて、端子台カバー３の第２の開口部３０ｂを開くと、把持部４０ｅが端子台カバー３に突き当てられる。
【００４１】
そして、把持部４０ｅがネジ４０ｆで端子台カバー３に固定されると、遮蔽部材４は、第２の遮蔽部４０ｂを端子台カバー３の内部へ退避させて、端子台カバー３の第２の開口部３０ｂを開いた状態で、軸部４０ｃを支点とした開閉動作が規制される。
【００４２】
＜浴室暖房換気乾燥装置の設置動作例＞
図８は、本実施の形態の浴室暖房換気乾燥装置１の設置動作例を示す平面断面図で、次に、本実施の形態の浴室暖房換気乾燥装置１の設置動作について、各図を参照して説明する。
【００４３】
浴室暖房換気乾燥装置１は、初期状態（出荷時）では、図１に示すように、遮蔽部材４の第１の遮蔽部４０ａを端子台カバー３の内部へ退避させて、端子台カバー３の第１の開口部３０ａが開かれていると共に、遮蔽部材４の第２の遮蔽部４０ｂで、端子台カバー３の第２の開口部３０ｂが閉じられている。
【００４４】
また、遮蔽部材４は、固定部４０ｄがネジ４０ｆで端子台カバー３に固定されて、軸部４０ｃを支点とした第１の遮蔽部４０ａ及び第２の遮蔽部４０ｂによる開閉動作が規制される。
【００４５】
これにより、浴室暖房換気乾燥装置１は、初期状態では、第１の端子台２ａへの配線２００の接続は可能であると共に、第２の端子台２ｂへの配線２００の接続は不可能である。
【００４６】
浴室暖房換気乾燥装置１は、図４に示すように、本体部１０の第１の側面１０ａを点検口１０３に向けて設置される場合は、第１の端子台２ａが点検口１０３と対向するので、遮蔽部材４を開閉する必要はない。
【００４７】
すなわち、浴室暖房換気乾燥装置１は、初期状態では、端子台カバー３の第１の開口部３０ａが開かれており、電気工事業者は、点検口１０３から第１の端子台２ａが視認可能で、かつ、第１の端子台２ａの本例では３個の電線接続口２０が見える。
【００４８】
そして、電気工事業者は、第１の端子台２ａの３個の電線接続口２０に配線２００を挿入すると、図７に示すように、各電線接続口２０に配線２００が挿入されたか否かが視認しやすくなっており、電気工事を確実に行うことが可能である。
【００４９】
一方、第２の端子台２ｂは、端子台カバー３の第２の開口部３０ｂが遮蔽部材４の第２の遮蔽部４０ｂで閉じられているので、電気工事業者が誤って第２の端子台２ｂへ配線作業を行うことが防止される。
【００５０】
これに対して、浴室暖房換気乾燥装置１は、図５に示すように、本体部１０の第２の側面１０ｂを点検口１０３に向けて設置される場合は、第２の端子台２ｂが点検口１０３と対向する。
【００５１】
このような場合、電気工事業者は、遮蔽部材４を固定しているネジ４０ｆを外し、把持部４０ｅが端子台カバー３に突き当たる位置まで、把持部４０ｅ等を持って遮蔽部材４を動かし、第２の遮蔽部４０ｂを端子台カバー３の内部へ退避させて、端子台カバー３の第２の開口部３０ｂを開く。そして、電気工事業者は、把持部４０ｅをネジ４０ｆで端子台カバー３に固定する。
【００５２】
遮蔽部材４は、把持部４０ｅ等を持って動かされることで、軸部４０ｃを支点に回転する。そして、遮蔽部材４は、第２の遮蔽部４０ｂが端子台カバー３の第２の開口部３０ｂを開く位置まで回転すると、第１の遮蔽部４０ａが端子台カバー３の第１の開口部３０ａを閉じる。
【００５３】
これにより、把持部４０ｅがネジ４０ｆで端子台カバー３に固定されると、図８に示すように、遮蔽部材４は、端子台カバー３の第２の開口部３０ｂが開かれていると共に、第１の遮蔽部４０ａで、端子台カバー３の第１の開口部３０ａが閉じられている状態で、軸部４０ｃを支点とした第１の遮蔽部４０ａ及び第２の遮蔽部４０ｂによる開閉動作が規制される。
【００５４】
このように、電気工事業者は、遮蔽部材４を動かして端子台カバー３の第２の開口部３０ｂを開くことで、点検口１０３から第２の端子台２ｂが視認可能で、かつ、第２の端子台２ｂの本例では３個の電線接続口２０が見える。
【００５５】
そして、電気工事業者は、第２の端子台２ｂの３個の電線接続口２０に配線２００を挿入すると、図７に示すように、各電線接続口２０に配線２００が挿入されたか否かが視認しやすくなっており、電気工事を確実に行うことが可能である。
【００５６】
一方、第１の端子台２ａは、端子台カバー３の第１の開口部３０ａが遮蔽部材４の第１の遮蔽部４０ａで閉じられているので、電気工事業者が誤って第１の端子台２ａへ配線作業を行うことが防止される。
【００５７】
浴室暖房換気乾燥装置１は、遮蔽部材４を固定するネジ４０ｆが、第２の側面１０ｂの側から操作が可能な構成である。このため、浴室暖房換気乾燥装置１を、図５に示すように、本体部１０の第２の側面１０ｂを点検口１０３に向けて設置した後、点検口１０３からネジ４０ｆの着脱、及び遮蔽部材４の開閉が可能である。
【００５８】
これにより、浴室暖房換気乾燥装置１に配線２００を接続する電気工事業者は、浴室暖房換気乾燥装置１が、図５に示す向きで設置されていると、ネジ４０ｆを外して遮蔽部材４を動かすことで、第２の端子台２ｂに配線２００を接続可能な状態とすることができる。
【００５９】
従って、浴室暖房換気乾燥装置１を浴室に設置する施工業者は、図４または図５に示す浴室暖房換気乾燥装置１の設置の向きによらず、遮蔽部材４を操作する必要がなく、施工業者が浴室暖房換気乾燥装置１の設置の向きに応じて所定の端子台を使用可能とするための作業を忘れるということがなくなり、施工業者の作業の負担を軽減することができる。
【００６０】
そして、浴室暖房換気乾燥装置１を浴室に設置する施工業者と、浴室暖房換気乾燥装置１に配線２００を接続する電気工事業者の間で、作業の責任区分を明確にすることができる。
【産業上の利用可能性】
【００６１】
本発明は、住宅等の建物の天井に設置される空調装置や換気扇等の設備機器に適用される。
【図面の簡単な説明】
【００６２】
【図１】設備機器の実施の形態としての浴室暖房換気乾燥装置の一例を示す平面断面図である。
【図２】本実施の形態の浴室暖房換気乾燥装置の一例を示す斜視図である。
【図３】本実施の形態の浴室暖房換気乾燥装置の一例を示す分解斜視図である。
【図４】本実施の形態の浴室暖房換気乾燥装置の設置例を示す平面図である。
【図５】本実施の形態の浴室暖房換気乾燥装置の設置例を示す平面図である。
【図６】第１の端子台及び第２の端子台の構成を示す正面図である。
【図７】第１の端子台及び第２の端子台における配線の接続状態を示す側面図である。
【図８】本実施の形態の浴室暖房換気乾燥装置の設置動作例を示す平面断面図である。
【符号の説明】
【００６３】
１・・・浴室暖房換気乾燥装置、１０・・・本体部、１０ａ・・・第１の側面、１０ｂ・・・第２の側面、１０ｃ・・・上面、１１・・・フロントパネル、１２・・・ダクトジョイント、１００・・・天井、１０１・・・開口部、１０２・・・排気ダクト、１０３・・・点検口、２ａ・・・第１の端子台、２ｂ・・・第２の端子台、２０・・・台座、２００・・・配線、３・・・端子台カバー、３０ａ・・・第１の開口部、３０ｂ・・・第２の開口部、４・・・遮蔽部材、４０ａ・・・第１の遮蔽部、４０ｂ・・・第２の遮蔽部、４０ｃ・・・軸部
【図１】
0005026292.tif 000002
【図２】
0005026292.tif 000003
【図３】
0005026292.tif 000004
【図４】
0005026292.tif 000005
【図５】
0005026292.tif 000006
【図６】
0005026292.tif 000007
【図７】
0005026292.tif 000008
【図８】
0005026292.tif 000009